【事件の表示】
　特願２００４−　５１２１５「記録媒体、記録装置および方法、再生装置および方法、プログラム記録媒体、並びにプログラム」拒絶査定不服審判事件〔平成１７年　９月　８日出願公開、特開２００５−２４３１３４、請求項の数（１７）〕について、次のとおり審決する。
【結　論】
　原査定を取り消す。
　本願の発明は、特許すべきものとする。
【理　由】
第１　手続の経緯
　
　本願は、平成１６年２月２６日に出願したものであって、平成２０年３月３日付けの拒絶理由通知に対する応答期間内の同年４月１６日付けで手続補正がなされたが、同年５月７日付けで拒絶査定がなされ、これに対し、同年６月１２日付けで拒絶査定不服審判が請求されるとともに、同年７月１４日付けで手続補正がなされた。
　その後、平成２２年７月９日付けで前置報告書に基づく審尋がなされ、同年９月８日付けで回答書が提出されたものである。
　
第２　平成２０年７月１４日付けの手続補正についての補正却下の決定
　
［補正却下の決定の結論］
　平成２０年７月１４日付けの手続補正を却下する。
　
［理由］
１．本件補正
　平成２０年７月１４日付けの手続補正（以下「本件補正」という。）は、特許請求の範囲については、本件補正前（平成２０年４月１６日付け手続補正書参照）に、
「【請求項１】
　所定のクロック専用トラックに記録されているクロック再生信号に基づくクロックに基づいて、同じデータ領域に、一方のデータの情報が記録される位相と、前記一方のデータとは周波数特性が異なる他方のデータの情報が記録される位相とが、それぞれ異なるように、複数のデータが多重に記録されている
　ことを特徴とする記録媒体。
　【請求項２】
　前記一方のデータは、記録媒体毎に異なる固有の情報である
　ことを特徴とする請求項１に記載の記録媒体。
　【請求項３】
　前記一方のデータが第１の記録電流で記録された前記データ領域に、前記他方のデータは、前記第１の記録電流よりも弱い第２の記録電流で記録される
　ことを特徴とする請求項１に記載の記録媒体。
　【請求項４】
　記録媒体にデータを記録する記録装置において、
　前記記録媒体のトラック上の所定のデータ領域に、前記データを記録するデータ記録手段と、
　前記データ記録手段により第１の周回において一方のデータが記録された後、前記第１の周回の次の第２の周回においても記録ヘッドが前記トラック上を再度移動するように、前記記録ヘッドの位置を制御するヘッド位置制御手段と、
　前記記録媒体の所定のクロック専用トラックに記録されているクロック再生信号に基づくクロックに基づいて、前記一方のデータの情報が記録される位相と、前記一方のデータと周波数特性が異なる他方のデータの情報が記録される位相とが異なるように、前記他方のデータを記録するタイミングを生成するタイミング生成手段と
　を備え、
　前記データ記録手段は、前記トラック上の前記所定のデータ領域に、前記第１の周回において、所定のタイミングで、前記一方のデータを記録し、前記第２の周回において、前記タイミング生成手段により生成されたタイミングで、前記他方のデータを記録する
　ことを特徴とする記録装置。
　【請求項５】
　前記一方のデータは、記録媒体毎に異なる固有の情報である
　ことを特徴とする請求項４に記載の記録装置。
　【請求項６】
　前記データ記録手段は、前記一方のデータを、第１の記録電流で記録し、前記他方のデータを、前記第１の記録電流よりも弱い第２の記録電流で記録する
　ことを特徴とする請求項４に記載の記録装置。
　【請求項７】
　記録媒体にデータを記録する記録装置の記録方法において、
　前記記録媒体のトラック上の所定のデータ領域に、前記データを記録するデータ記録ステップと、
　前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
　前記記録媒体の所定のクロック専用トラックに記録されているクロック再生信号に基づくクロックに基づいて、前記一方のデータの情報が記録される位相と、前記一方のデータと周波数特性が異なる他方のデータの情報が記録される位相とが異なるように、前記他方のデータを記録するタイミングを生成するタイミング生成ステップと
　を含み、
　前記データ記録ステップの処理では、前記トラック上の前記所定のデータ領域に、前記第１の周回において、所定のタイミングで、前記一方のデータを記録し、前記第２の周回において、前記タイミング生成ステップの処理により生成されたタイミングで、前記他方のデータを記録する
　ことを特徴とする記録方法。
　【請求項８】
　記録媒体にデータを記録する処理をコンピュータに行わせるプログラムが記録されるプログラム記録媒体であって、
　前記記録媒体のトラック上の所定のデータ領域に、前記データを記録するデータ記録ステップと、
　前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
　前記記録媒体の所定のクロック専用トラックに記録されているクロック再生信号に基づくクロックに基づいて、前記一方のデータの情報が記録される位相と、前記一方のデータと周波数特性が異なる他方のデータの情報が記録される位相とが異なるように、前記他方のデータを記録するタイミングを生成するタイミング生成ステップと
　を含み、
　前記データ記録ステップの処理では、前記トラック上の前記所定のデータ領域に、前記第１の周回において、所定のタイミングで、前記一方のデータを記録し、前記第２の周回において、前記タイミング生成ステップの処理により生成されたタイミングで、前記他方のデータを記録する
　ことを特徴とするプログラムが記録されるプログラム記録媒体。
　【請求項９】
　記録媒体にデータを記録する処理をコンピュータに行わせるプログラムであって、
　前記記録媒体のトラック上の所定のデータ領域に、前記データを記録するデータ記録ステップと、
　前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
　前記記録媒体の所定のクロック専用トラックに記録されているクロック再生信号に基づくクロックに基づいて、前記一方のデータの情報が記録される位相と、前記一方のデータと周波数特性が異なる他方のデータの情報が記録される位相とが異なるように、前記他方のデータを記録するタイミングを生成するタイミング生成ステップと
　を含み、
　前記データ記録ステップの処理では、前記トラック上の前記所定のデータ領域に、前記第１の周回において、所定のタイミングで、前記一方のデータを記録し、前記第２の周回において、前記タイミング生成ステップの処理により生成されたタイミングで、前記他方のデータを記録する
　ことを特徴とするプログラム。
　【請求項１０】
　記録媒体に記録されているデータを再生する再生装置において、
　同じデータ領域に、一方のデータの情報が記録される位相と、前記一方のデータとは周波数特性が異なる他方のデータの情報が記録される位相とが、それぞれ異なるように、複数のデータが多重に記録された前記記録媒体から信号を読み出す読み出し手段と、
　前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形手段と、
　前記一方のデータの情報が記録される位相および前記他方のデータの情報が記録される位相に基づいて、前記波形整形手段により波形が整形された前記信号から、前記一方のデータおよび前記他方のデータを復号するタイミングを制御するタイミング制御手段と、
　前記タイミング制御手段によるタイミングに従って、前記波形整形手段により波形が整形された前記信号から、前記一方のデータおよび前記他方のデータを復号する復号手段と
　を備えることを特徴とする再生装置。
　【請求項１１】
　前記一方のデータは、前記記録媒体毎に異なる固有の情報である
　ことを特徴とする請求項１０に記載の再生装置。
　【請求項１２】
　前記波形整形手段は、信号の位相特性が、前記所定の周波数の２倍以上の周波数まで直線になるように、前記所定の周波数の信号成分を増幅させて、前記信号の波形を整形する
　ことを特徴とする請求項１０に記載の再生装置。
　【請求項１３】
　前記波形整形手段により増幅される前記所定の周波数の信号成分は、前記読み出し手段の読み出し速度に追従して変化する
　ことを特徴とする請求項１０に記載の再生装置。
　【請求項１４】
　前記読み出し手段により前記データ領域以外の信号が読み出されるか否かを判定するデータ判定手段をさらに備え、
　前記データ判定手段により前記データ領域以外の信号が読み出されると判定された場合、前記波形整形手段は、前記第２の周波数の信号成分を増幅して、前記読み出し手段により読み出された前記信号の波形を整形する
　ことを特徴とする請求項１０に記載の再生装置。
　【請求項１５】
　記録媒体に記録されているデータを再生する再生装置の再生方法において、
　同じデータ領域に、一方のデータの情報が記録される位相と、前記一方のデータとは周波数特性が異なる他方のデータの情報が記録される位相とが、それぞれ異なるように、複数のデータが多重に記録された前記記録媒体から信号を読み出す読み出しステップと、
　前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形ステップと、
　前記一方のデータの情報が記録される位相および前記他方のデータの情報が記録される位相に基づいて、前記波形整形ステップの処理により波形が整形された前記信号から、前記一方のデータおよび前記他方のデータを復号するタイミングを制御するタイミング制御ステップと、
　前記タイミング制御ステップの処理によるタイミングに従って、前記波形整形ステップの処理により波形が整形された前記信号から、前記一方のデータおよび前記他方のデータを復号する復号ステップと
　を含むことを特徴とする再生方法。
　【請求項１６】
　記録媒体に記録されているデータを再生する処理をコンピュータに行わせるプログラムが記録されるプログラム記録媒体であって、
　同じデータ領域に、一方のデータの情報が記録される位相と、前記一方のデータとは周波数特性が異なる他方のデータの情報が記録される位相とが、それぞれ異なるように、複数のデータが多重に記録された前記記録媒体から信号を読み出す読み出しステップと、
　前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形ステップと、
　前記一方のデータの情報が記録される位相および前記他方のデータの情報が記録される位相に基づいて、前記波形整形ステップの処理により波形が整形された前記信号から、前記一方のデータおよび前記他方のデータを復号するタイミングを制御するタイミング制御ステップと、
　前記タイミング制御ステップの処理によるタイミングに従って、前記波形整形ステップの処理により波形が整形された前記信号から、前記一方のデータおよび前記他方のデータを復号する復号ステップと
　を含むことを特徴とするプログラムが記録されるプログラム記録媒体。
　【請求項１７】
　記録媒体に記録されているデータを再生する処理をコンピュータに行わせるプログラムであって、
　同じデータ領域に、一方のデータの情報が記録される位相と、前記一方のデータとは周波数特性が異なる他方のデータの情報が記録される位相とが、それぞれ異なるように、複数のデータが多重に記録された前記記録媒体から信号を読み出す読み出しステップと、
　前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形ステップと、
　前記一方のデータの情報が記録される位相および前記他方のデータの情報が記録される位相に基づいて、前記波形整形ステップの処理により波形が整形された前記信号から、前記一方のデータおよび前記他方のデータを復号するタイミングを制御するタイミング制御ステップと、
　前記タイミング制御ステップの処理によるタイミングに従って、前記波形整形ステップの処理により波形が整形された前記信号から、前記一方のデータおよび前記他方のデータを復号する復号ステップと
　を含むことを特徴とするプログラム。」
　とあったところを、
　
本件補正後、
「【請求項１】
　所定のクロック専用トラックに記録されているクロック再生信号に基づくクロックに基づいて
情報を記録するタイミングを制御することにより
第１の周回において
第１の
前記第１の周回の次の第２の周回において
第２の
　ことを特徴とする記録媒体。
　【請求項２】
　前記一方のデータは、記録媒体毎に異なる固有の情報である
　ことを特徴とする請求項１に記載の記録媒体。
　【請求項３】
　前記一方のデータが第１の記録電流で記録された前記データ領域に、前記他方のデータは、前記第１の記録電流よりも弱い第２の記録電流で記録される
　ことを特徴とする請求項１に記載の記録媒体。
　【請求項４】
　記録媒体にデータを記録する記録装置において、
　前記記録媒体のトラック上の所定のデータ領域に、前記データを記録するデータ記録手段と、
　前記データ記録手段により第１の周回において一方のデータが記録された後、前記第１の周回の次の第２の周回においても記録ヘッドが前記トラック上を再度移動するように、前記記録ヘッドの位置を制御するヘッド位置制御手段と、
　前記記録媒体の所定のクロック専用トラックに記録されているクロック再生信号に基づくクロックに基づいて、前記一方のデータの情報が記録される
第１の
第２の
前記一方のデータおよび
　を備え、
　前記データ記録手段は、前記トラック上の前記所定のデータ領域に、前記第１の周回において、
前記タイミング生成手段により生成された前記第１の位相
前記第２の位相の
重ねて
　ことを特徴とする記録装置。
　【請求項５】
　前記一方のデータは、記録媒体毎に異なる固有の情報である
　ことを特徴とする請求項４に記載の記録装置。
　【請求項６】
　前記データ記録手段は、前記一方のデータを、第１の記録電流で記録し、前記他方のデータを、前記第１の記録電流よりも弱い第２の記録電流で記録する
　ことを特徴とする請求項４に記載の記録装置。
　【請求項７】
　記録媒体にデータを記録する記録装置の記録方法において、
　前記記録媒体のトラック上の所定のデータ領域に、前記データを記録するデータ記録ステップと、
　前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
　前記記録媒体の所定のクロック専用トラックに記録されているクロック再生信号に基づくクロックに基づいて、前記一方のデータの情報が記録される
第１の
第２の
前記一方のデータおよび
　を含み、
　前記データ記録ステップの処理では、前記トラック上の前記所定のデータ領域に、前記第１の周回において、
前記タイミング生成ステップの処理により生成された前記第１の位相
前記第２の位相の
重ねて
　ことを特徴とする記録方法。
　【請求項８】
　記録媒体にデータを記録する処理をコンピュータに行わせるプログラムが記録されるプログラム記録媒体であって、
　前記記録媒体のトラック上の所定のデータ領域に、前記データを記録するデータ記録ステップと、
　前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
　前記記録媒体の所定のクロック専用トラックに記録されているクロック再生信号に基づくクロックに基づいて、前記一方のデータの情報が記録される
第１の
第２の
前記一方のデータおよび
　を含み、
　前記データ記録ステップの処理では、前記トラック上の前記所定のデータ領域に、前記第１の周回において、
前記タイミング生成ステップの処理により生成された前記第１の位相
前記第２の位相の
重ねて
　ことを特徴とするプログラムが記録されるプログラム記録媒体。
　【請求項９】
　記録媒体にデータを記録する処理をコンピュータに行わせるプログラムであって、
　前記記録媒体のトラック上の所定のデータ領域に、前記データを記録するデータ記録ステップと、
　前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
　前記記録媒体の所定のクロック専用トラックに記録されているクロック再生信号に基づくクロックに基づいて、前記一方のデータの情報が記録される
第１の
第２の
前記一方のデータおよび
　を含み、
　前記データ記録ステップの処理では、前記トラック上の前記所定のデータ領域に、前記第１の周回において、
前記タイミング生成ステップの処理により生成された前記第１の位相
前記第２の位相の
重ねて
　ことを特徴とするプログラム。
　【請求項１０】
　記録媒体に記録されているデータを再生する再生装置において、
　
所定のクロック専用トラックに記録されているクロック再生信号に基づくクロックに基づいて情報を記録するタイミングを制御することにより、
第１の周回において
第１の
前記第１の周回の次の第２の周回において
第２の
　前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形手段と、
　
前記クロック再生信号に基づくクロック
を復号する前記第１の位相に基づくタイミング
前記第２の位相に基づく
　前記波形整形手段により波形が整形された前記信号から、
前記第１の位相に基づくタイミングに従って前記一方のデータを復号し、前記第２の位相に基づくタイミングに従って
　を備えることを特徴とする再生装置。
　【請求項１１】
　前記一方のデータは、前記記録媒体毎に異なる固有の情報である
　ことを特徴とする請求項１０に記載の再生装置。
　【請求項１２】
　前記波形整形手段は、信号の位相特性が、前記所定の周波数の２倍以上の周波数まで直線になるように、前記所定の周波数の信号成分を増幅させて、前記信号の波形を整形する
　ことを特徴とする請求項１０に記載の再生装置。
　【請求項１３】
　前記波形整形手段により増幅される前記所定の周波数の信号成分は、前記読み出し手段の読み出し速度に追従して変化する
　ことを特徴とする請求項１０に記載の再生装置。
　【請求項１４】
　前記読み出し手段により前記データ領域以外の信号が読み出されるか否かを判定するデータ判定手段をさらに備え、
　前記データ判定手段により前記データ領域以外の信号が読み出されると判定された場合、前記波形整形手段は、前記第２の周波数の信号成分を増幅して、前記読み出し手段により読み出された前記信号の波形を整形する
　ことを特徴とする請求項１０に記載の再生装置。
　【請求項１５】
　記録媒体に記録されているデータを再生する再生装置の再生方法において、
　
所定のクロック専用トラックに記録されているクロック再生信号に基づくクロックに基づいて情報を記録するタイミングを制御することにより、
第１の周回において
第１の
前記第１の周回の次の第２の周回において
第２の
　前記一方のデータの増幅すべき第１の周波数および前記他方のデータの増幅すべき第２の周波数の信号成分が両方とも増幅するように設定された所定の周波数の信号成分を増幅して、前記読み出し
ステップの処理
　
前記クロック再生信号に基づくクロック
を復号する前記第１の位相に基づくタイミング
前記第２の位相に基づく
　前記波形整形ステップの処理により波形が整形された前記信号から、
前記第１の位相に基づくタイミングに従って前記一方のデータを復号し、前記第２の位相に基づくタイミングに従って
　を含むことを特徴とする再生方法。
　【請求項１６】
　記録媒体に記録されているデータを再生する処理をコンピュータに行わせるプログラムが記録されるプログラム記録媒体であって、
　
所定のクロック専用トラックに記録されているクロック再生信号に基づくクロックに基づいて情報を記録するタイミングを制御することにより、
第１の周回において
第１の
前記第１の周回の次の第２の周回において
　前記一方のデータの増幅すべき第１の周波数および前記他方のデータを増幅すべき第２の周波数の信号成分が両方とも増幅するように設定された所定の周波数の信号成分を増幅して、前記読み出し
ステップの処理
　
前記クロック再生信号に基づくクロック
を復号する前記第１の位相に基づくタイミング
前記第２の位相に基づく
　前記波形整形ステップの処理により波形が整形された前記信号から、
前記第１の位相に基づくタイミングに従って前記一方のデータを復号し、前記第２の位相に基づくタイミングに従って
　を含むことを特徴とするプログラムが記録されるプログラム記録媒体。
　【請求項１７】
　記録媒体に記録されているデータを再生する処理をコンピュータに行わせるプログラムであって、
　
所定のクロック専用トラックに記録されているクロック再生信号に基づくクロックに基づいて情報を記録するタイミングを制御することにより、
第１の周回において
第１の
前記第１の周回の次の第２の周回において
第２の
　前記一方のデータの増幅すべき第１の周波数および前記他方のデータの増幅すべき第２の周波数の信号成分が両方とも増幅するように設定された所定の周波数の信号成分を増幅して、前記読み出し
ステップの処理
　
前記クロック再生信号に基づくクロック
を復号する前記第１の位相に基づくタイミング
前記第２の位相に基づく
　前記波形整形ステップの処理により波形が整形された前記信号から、
前記第１の位相に基づくタイミングに従って前記一方のデータを復号し、前記第２の位相に基づくタイミングに従って
　を含むことを特徴とするプログラム。」
　とするものである。
　
２．補正の適否
　
　本件補正前の請求項１ないし１７に係る発明は、本件補正後の請求項１ないし１７に係る発明にそれぞれ対応するものである。
　本件補正後の請求項１０，１５ないし１７に係る発明は、発明特定事項の、「
所定のクロック専用トラックに記録されているクロック再生信号に基づくクロックに基づいて情報を記録するタイミングを制御することにより、
前記クロック再生信号に基づくクロック
　
　そこで、願書に最初に添付した明細書又は図面（以下「当初明細書等」という。）についてみると、前記「クロック再生信号」に関して、以下の記載がある。（なお、下線は当審で付与した。）
「【００５０】
　再生ヘッド１４は、
磁気ディスク２の、例えば、最外周などに設けられたクロック専用トラックに記録されているクロックの再生信号を読み出し、読み出した再生信号を、再生アンプ１５に出力する。再生アンプ１５は、再生ヘッド１４からの再生信号を増幅し、増幅した再生信号を、クロック生成部１６に出力する
【００５１】
　タイミング発生部１７は、ＣＰＵ１１の制御のもと、
クロック生成部１６からのクロックに基づいて、サーボ情報、ＩＤ情報、またはタイトル情報を記録する
「【００９５】
　図８は、本発明を適用した記録再生装置２０１の構成例を表している。
記録再生装置２０１には、図１の記録装置１により各情報（サーボ情報、ＩＤ情報、およびタイトル情報）が予め記録された磁気ディスク２が組み込まれ、内蔵されている
「【００９９】
　
等化器２１３は、磁気ディスク２に記録されているＩＤ情報およびＩＤ情報以外の情報（タイトル情報）を再生するために、所定の周波数の信号成分を増幅する
【０１００】
　
Ａ／Ｄ変換部２１４は、等化器２１３からのアナログの再生信号を、デジタル信号に変換し、変換したデジタル信号を、位置制御部２１５、アドレス検出部２１７、クロック検出器２１８、ＩＤ検出器２２０、およびデータ復調部２２１に供給する
「【０１０２】
　タイミング発生部２１９は、ＣＰＵ１１からの情報（データ）の読み出し命令または書き込み命令に応じて、再生アンプ２１２および記録アンプ２２３を制御し、ヘッド２１１の再生、または記録処理を切り替えさせる。タイミング発生部２１９は、ＣＰＵ１１からデータの読み出し命令とともにそのアドレスが入力されると、クロック検出器２１８からのクロックおよびアドレス検出部２１７からのヘッド２１１の半径方向の位置と周方向の位置に基づいて、ヘッド２１１によりデータが読み出されるタイミングを特定し、特定したタイミング信号を、データ復調部２２１およびＣＰＵ１１に供給する。タイミング発生部２１９は、読み出されるデータがＩＤ情報であった場合には、特定したタイミング信号を、ＩＤ検出部２２０にも供給する。」
　これらの記載から、当初明細書等には、記録装置１においては、磁気ディスク（記録媒体）のクロック専用トラックに記録されているクロック再生信号に基づくクロックに基づいて、ＩＤ情報、タイトル情報を記録し、記録再生装置２０１（再生装置）においては、磁気ディスク（記録媒体）に記録されているＩＤ情報およびＩＤ情報以外の情報（タイトル情報）の再生信号に基づくクロックに基づいて、当該ＩＤ情報およびＩＤ情報以外の情報（タイトル情報）を再生することが記載されている。
　しかしながら、記録再生装置２０１（再生装置）において、前記クロック再生信号（所定のクロック専用トラックに記録されているクロック再生信号）に基づくクロックに基づいて、データを復号するタイミングを制御することは記載されていない。
　結局、本件補正は、当初明細書等に記載した事項の範囲内においてなされたものではない。
　
３．本件補正についてのむすび
　
　したがって、本件補正は、平成１８年法律第５５号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　
第３　本願発明について
　
　平成２０年７月１４日付けの手続補正は、却下されたので、本願請求項１ないし１７に係る発明は、平成２０年４月１６日付け手続補正によって補正された特許請求の範囲の請求項１ないし１７に記載された事項により特定されるものと認められる。
　そして、本願は、原査定の拒絶の理由を検討してもその理由によって拒絶すべきものとすることはできない。
　また、他に本願を拒絶すべき理由を発見できない。
　よって、結論のとおり審決する。